(57)【特許請求の範囲】
【請求項１】
玄関土間及び玄関ホールを含む玄関区画と、
該玄関区画から出入り可能な洗面所を含むユーティリティ区画と、
キッチンを含む台所区画と、
食堂又は居間を含む団らん区画と、を有し、
前記玄関区画から前記ユーティリティ区画へ通じる経路と、前記玄関区画から前記団らん区画へ通じる経路とが独立して設けられており、
外壁から離れた位置であって前記玄関区画に隣接する位置にトイレが配置され、
前記玄関土間の天井裏を利用して前記トイレの換気を行うものであることを特徴とする住宅。
【請求項２】
前記台所区画からは、前記玄関区画から前記ユーティリティ区画へ通じる経路の一部又は前記ユーティリティ区画内と、前記玄関区画から前記団らん区画へ通じる経路の一部又は前記団らん区画内とを見通すことが可能となっていることを特徴とする請求項１に記載の住宅。
【請求項３】
子供部屋又はプレイルームを含む子供用区画が、前記台所区画が設けられた階の上層階に設けられており、
前記台所区画は、システムキッチンの前方が開放されるとともに、該システムキッチンの前方で隣接した位置に吹き抜けが設けられ、
前記台所区画の前記システムキッチンに向かった位置から前記吹き抜けを通して、前記子供用区画及び前記上層階に通じる階段を見通すことが可能であることを特徴とする請求項１又は請求項２に記載の住宅。
【請求項４】
前記子供用区画は、前記吹き抜けと対向する面が透明又は半透明の材料からなる間仕切スクリーンによって仕切られており、前記台所区画から前記子供用区画が前記間仕切りスクリーンを透して視認することが可能となっていることを特徴とする請求項３に記載の住宅。
【請求項５】
前記台所区画は、前記ユーティリティ区画及び前記団らん区画に隣接して配置されるとともに、前記ユーティリティ区画及び前記玄関区画から直接に又は廊下のみを経由して出入り可能となっていることを特徴とする請求項１から請求項４までのいずれかに記載の住宅。
【発明の詳細な説明】
【技術分野】
【０００１】
本発明は、台所から建物内の広い範囲の様子を認識することができる住宅に関するものである。
【背景技術】
【０００２】
多くの戸建て住宅では、玄関ホール、キッチン、ダイニングルーム、リビングルーム、洗面所、浴室、トイレなどの家族全員が使用するパブリック領域と、家族それぞれの寝室や居室等が含まれるプライベート領域とを区分し、パブリック領域からプライベート領域内を見通すことができない間取りとなっている。また、家族の居室つまりプライベート領域内にクロゼット等を置いて、プライベート領域内で着替え等をするのが一般的である。
一方、特許文献１に記載されている住宅のように、本来プライバシー領域内に設けられるクロゼットルームを玄関に隣接したパブリック領域内に配置するとともに、玄関から洗面所・風呂等が設けられた区画への経路を設けてパブリック領域の動線を効率化した間取りの住宅も提案されている。つまり、外出先から帰宅したときに、着替え、手洗い等を居間等へ行く前に速やかに行うことが可能な間取りとしている。
【先行技術文献】
【特許文献】
【０００３】
【特許文献１】特開２００３−１８４３２７号公報
【発明の概要】
【発明が解決しようとする課題】
【０００４】
しかしながら、上記のような住宅では次のような問題点がある。
上記のようにプライベート領域とパブリック領域とが区分されている住宅では、パブリック領域からプライベート領域内にある各個室内の様子を伺うことができなくなっている。このため、台所等のパブリック領域内で家事をすることが多い主婦又は子育て中の母親・保護者等（以下、「母親等」という）は、成長期にある小さい子供が子供部屋等のプライベート領域内にいると、その様子を感知して子供を見守ることができない。また、パブリック領域内においても、例えば台所から玄関ホール等を見通すことができない間取りとなっている場合が多く、帰宅した子供の様子を伺うためには、母親等は家事を中断して玄関ホール等へ行く必要がある。
一方、特許文献１に記載の住宅では、帰宅した子供は玄関から真っ直ぐにクロゼットルーム、洗面所に行って着替えや手洗い等をすることができるが、台所からクロゼットルームや洗面所の様子を見ることができず、帰宅してクロゼットルームや洗面所にいる子供の行動を見守るためには、母親等は台所での仕事を中断しなければならない。
【０００５】
成長期の子供、例えば幼児や小学生等の子供がいる家庭では、多くの母親が子供達の様子をできるだけ見守って過ごしたいとの願望を持つが、上記のように従来の住宅では間取りによって母親等の目が子供達に届きにくい場合が多い。したがって、家事をしながら子供と会話をしたり子供の様子を伺ったりできる間取り、つまり子供の様子を見守りながら家事をすることができる間取りの住宅が求められている。
【０００６】
本発明は、上記のような問題点に鑑みてなされたものであり、その目的は、家事をしながら子供を見守ることができ、安心して家事と育児とを両立させることができる間取りの住宅を提供することである。
【課題を解決するための手段】
【０００７】
上記問題点を解決するために、請求項１に係る発明は、  玄関土間及び玄関ホールを含む玄関区画と、  該玄関区画から出入り可能な洗面所を含むユーティリティ区画と、  キッチンを含む台所区画と、  食堂又は居間を含む団らん区画と、を有し、  前記玄関区画から前記ユーティリティ区画へ通じる経路と、前記玄関区画から前記団らん区画へ通じる経路とが独立して設けられており、  外壁から離れた位置であって前記玄関区画に隣接する位置にトイレが配置され、  前記玄関土間の天井裏を利用して前記トイレの換気を行うものであることを特徴とする住宅を提供する。
【０００８】
玄関土間は一般に床面が玄関ホールや廊下等より低く、天井を低くすることができる。したがって、トイレが外壁から離れた位置に配置されていても、隣接する玄関区画にある玄関土間の天井裏を利用してトイレの換気を効率良く行うことができる。
【０００９】
請求項２に係る発明は、請求項１に記載の住宅において、  前記台所区画からは、前記玄関区画から前記ユーティリティ区画へ通じる経路の一部又は前記ユーティリティ区画内と、前記玄関区画から前記団らん区画へ通じる経路の一部又は前記団らん区画内とを見通すことが可能となっているものとする。
【００１０】
この住宅では、台所区画内にいる母親等は、家事をしながら子供の帰宅や外出を視認し、帰宅時や外出時の子供の様子を知ることができる。また、建物内では団らん区画で遊んでいる子供の様子等を見守ることができ、安心して家事を継続することができる。
一方、子供は帰宅とほぼ同時に母親の姿や声を認識することができ、安堵感や安心感を得ることができる。
【００１１】
請求項３に係る発明は、請求項１又は請求項２に記載の住宅において、  子供部屋又はプレイルームを含む子供用区画が、前記台所区画が設けられた階の上層階に設けられており、  前記台所区画は、システムキッチンの前方が開放されるとともに、該システムキッチンの前方で隣接した位置に吹き抜けが設けられ、  前記台所区画の前記システムキッチンに向かった位置から前記吹き抜けを通して、前記子供用区画及び前記上層階に通じる階段を見通すことが可能であるものとする。
【００１２】
この住宅では、下層階にある台所から、上層階に通じる階段及び上層階に配置された子供用区画が見通し可能であるため、母親等は家事をしながら子供が階段を昇降する様子や子供用区画内の子供の様子を視認することができる。
また、下層階の団らん区画内に来客がある場合には、上層階の子供用区画にいる子供の様子を見守りながら来客への対応を行うことができる。
一方、子供は家事や来客の対応をしている母親等を子供用区画から見ることができるので、安心して過ごすことができる。
【００１３】
請求項４に係る発明は、請求項３に記載の住宅において、  前記子供用区画は、前記吹き抜けと対向する面が透明又は半透明の材料からなる間仕切スクリーンによって仕切られており、前記台所区画から前記子供用区画が前記間仕切りスクリーンを透して視認することが可能となっているものとする。
【００１４】
この住宅では、台所区画から子供用区画内の様子を感知して見守ることができる。また、子供が成長し、プライバシーを尊重するべき時期に達したときは、間仕切スクリーンを光が透過しない材料に交換、又は光を透過しない間仕切壁に改装して、プライバシーの尊重が可能な間取りにすることができる。
【００１５】
請求項５に係る発明は、請求項１から請求項４までのいずれかに記載の住宅において、  前記台所区画は、前記ユーティリティ区画及び前記団らん区画に隣接して配置されるとともに、前記ユーティリティ区画及び前記玄関区画から直接に又は廊下のみを経由して出入り可能となっているものとする。
【００１６】
この住宅では、台所区画はユーティリティ区画及び団らん区画に隣接しているので、台所区画内にいる母親等はユーティリティ区画内又は団らん区画内の物音や声を聞いて、様子を容易に知ることができる。したがって、ユーティリティ区画内又は団らん区画内にいる子供等と家事をしている母親等とは互いにコミュニケーションをとることが容易となる。
また、玄関区画及びユーティリティ区画から台所区画へ直接又は廊下を経由して出入り可能となっているので、買い物等から帰宅した後に家事を行うときの動線が整理され、効率よく家事を行うことが可能となる。
【発明の効果】
【００１７】
以上説明したように、本発明の住宅では、台所区画にいる母親が家事を中断することなく、子供等の帰宅や外出を視認することができるとともに、ユーティリティ区画、団らん区画又は子供用区画にいる子供の様子を容易に知ることができ、家事と子供の見守りとを両立させることができる。
【図面の簡単な説明】
【００１８】
【図１】台所から建物内の広い範囲を認識することができる住宅の一例の１階部分及び２階部分を示す平面図である。
【図２】図１に示す住宅の概略立断面図である。
【図３】本発明に係る住宅の一実施形態を示す１階部分の平面図及びトイレ部分の概略立断面図である。
【発明を実施するための形態】
【００１９】
以下、本願に係る発明の実施の形態を図に基づいて説明する。
図１（ａ）は台所から建物内の広い範囲を認識することができる住宅の一例を参考として示す平面図、図１（ｂ）は２階部分を示す平面図であり、図２はこの住宅の概略立断面図である。なお、図１においては、図面の上方が北を示すものとなっている。
これらの図に示すように、この住宅は平面形状がほぼ矩形となった２階建ての建物であり、１階部分には、玄関土間１ｂ及び玄関ホール１ｄを含む玄関区画１と、洗面所２ａ及び浴室２ｂを含むユーティリティ区画２と、キッチンを含む台所区画３と、食堂４ａ及び居間４ｂを含む団らん区画４と、トイレ５と、が設けられており、家族全員が使用するパブリック領域となっている。
また、２階に行くための階段６、玄関区画１から団らん区画４への経路である主廊下７、玄関区画１から台所区画３への経路である中廊下８が設けられるとともに、南側にはウッドデッキ９が設けられている。
【００２０】
上記玄関区画１は、玄関ドア１ａの内側に設けられた玄関土間１ｂ、この玄関土間１ｂから台所区画３又は団らん区画４への経路となる玄関ホール１ｄ、玄関土間１ｂと連続して設けられたサブ土間１ｃ、及びこのサブ土間１ｃからユーティリティ区画２への経路となるサブホール１ｅとを含むものとなっており、建物の北西部に位置している。
上記玄関ドア１ａは建物の西面に設けられ、この玄関ドア１ａを開けて玄関ポーチ１ｆから玄関土間１ｂへ入ることが可能となっている。
上記玄関ホール１ｄは、玄関土間１ｂよりも一段高い床面を有しており、台所区画３、団らん区画４等とほぼ同じ高さに設定されている。そして、団らん区画４へ通じる主廊下７と、台所区画３へ通じる中廊下８とが、玄関ホール１ｄから別個に設けられている。主廊下７と団らん区画４との間、及び中廊下８と台所区画３との間は、それぞれドア７ａ，８ａによって区分されている。
【００２１】
上記サブ土間１ｃは、玄関土間１ｂと連続しており、玄関土間１ｂからサブ土間１ｃへの出入りが可能となっている。
上記サブホール１ｅは、玄関ホール１ｄと同様にサブ土間１ｃよりも一段高い床面を有し、ユーティリティ区画２への導入通路になるとともに、収納棚又は収納庫を設けるスペースが設けられている。
玄関区画１は上記のように配置されているので、帰宅した家族が他の部屋を通ることなく台所区画３又は団らん区画４へ行くことができ、ユーティリティ区画２へも行くことができるようになっている。
【００２２】
上記ユーティリティ区画２は、玄関区画１の南側に隣接し、建物の南西に位置している。そして、サブホール１ｅとほぼ同じ高さの床面となった洗面所２ａ、浴室２ｂ及び洗濯機置き場２ｃを備え、玄関土間１ｂからサブ土間１ｃ、サブホール１ｅを経て出入りできるようになっている。また、ユーティティ区画２は台所区画３と引き戸２ｄを介して隣接しており、台所区画３とも出入り可能となっている。したがって、帰宅した家族は、玄関土間１ｂからサブ土間１ｃに入り、サブ土間１ｃで靴を脱ぎ、ユーティリティ区画２に行って洗面所２ａで手洗いやうがい等をすることができる。その後、台所区画３を通って団らん区画４に入ることもできるし、台所区画４から一旦出て、中廊下８、主廊下７を経て団らん区画４に入ることもできる。
【００２３】
上記台所区画３には、流し台、調理台、コンロ等がセットとなったシステムキッチン３ａや冷蔵庫３ｂを置くスペースが設けられており、システムキッチン３ａの前方は食堂４ａ側に開放されたいわゆるオープンキッチンとなっている。したがって、システムキッチン３ａの前から団らん区画４内の様子が見えるようになっている。
また、台所区画３は、ユーティリティ区画２の洗面所２ａ、及び玄関ホール１ｄからの通路である中廊下８とは引き戸２ｄ，８ａでそれぞれ区切られており、これら引き戸２ｄ，８ａを開けた状態では、サブホール１ｅからユーティリティ区画２内へ入った位置及び玄関ホール１ｄの主廊下７に通じる位置が見えるようになっている。つまり、ユーティリティ区画と、玄関区画から前記団らん区画へ通じる経路の一部とを視認することができる。したがって、母親等は台所区画３にいながらにして、子供の帰宅や外出を知ることができるとともに、ユーティリティ区画２内にいる子供の様子を伺うことができる。また、引き戸２ｄ，８ａが閉まった状態でも、台所区画３はユーティリティ区画２に隣接し、玄関区画１に近接しているのでユーティリティ区画２や玄関区画１で生じる物音、例えば子供の声や足音が聞こえるので、台所区画３にいる母親等は子供の様子を物音等から想像することができ、子供等と適切なコミュニケーションを図ることができる。
【００２４】
このように、台所区画３にいる母親等は子供の帰宅時や外出時の様子を認識することができるので、家事を継続しながら手洗いやうがいをするように子供に声をかけたり、気候や気温に応じた服装で外出しているか等を確認したりすることができる。一方、子供は母親等に帰宅又は外出を知らせることや、母親に手助けを求めるために声をかける等の行為を容易に行うことができる。
なお、本実施の形態では、システムキッチン３ａは南側の壁面から突き出したいわゆるペニンシュラ型を採用したが、周囲の壁面から独立したいわゆるアイランド型等であってもよい。
【００２５】
上記団らん区画４は、台所区画３に隣接した食堂４ａと、この食堂４ａと連続した居間４ｂとからなる一連の部屋であり、建物の東側に位置している。
上記食堂４ａ及び居間４ｂは、上記台所区画のオープンキッチン３ａの前方にあり、台所区画３内で家事をしている母親等から見通すことが可能となっている。したがって、母親等は台所で家事をしながら、食堂４ａや居間４ｂにいる子供等の姿を見ることができる。
【００２６】
上記トイレ５は、玄関ホール１ｄから居間４ｂへの経路である主廊下７に面して設けられている。このトイレ５へは団らん区画４から主廊下７を経て、台所区画３からは中廊下８及び主廊下７を経て出入りが可能となっている。
なお、このトイレ５は、北側の外壁に沿って配置されており、外壁に設けられた窓５ａにより換気が可能となっている。
【００２７】
上記階段６は、団らん区画４のほぼ中央に昇り口６ａが設けられており、１階から２階に続く階段６のほぼ中央に設けられた踊場で１８０度向きを変えて２階に向かう構造となっている。階段６に設けられている手すり６ｂは、階段を視認することを妨げない構造となっており、小さい子供等が昇降するときにもその姿が視認できるものとなっている。この階段の手すり６ｂには、例えば上縁部材の下側に棒状の部材を間隔を開けて固定したもの、アクリル板等の透明又は半透明の板材を取り付けたもの等を採用することができる。
また、団らん区画４に面した階段の昇り口６ａ付近の床は、団らん区画４よりも一段高くなった高床部４ｃとなっており、家族が腰掛けてくつろぐことができる場所になっている。例えば、本や雑誌、新聞等を収納した書架４ｄをこの高床部４ｃに置いておけば、団らん区画４にいる家族、特に子供が手軽に本や雑誌を手にし、高床部４ｃに腰掛けて読む
ことができる。また、このような姿を台所区画３や団らん区画４にいる母親や家族が見守
ることが可能となる。
【００２８】
この他、１階には主廊下７に面した位置及び中廊下８に面した位置に収納Ｓが設けられている。
【００２９】
次に、この住宅の２階部分を説明する。
この住宅のほぼ中央部には、図１（ｂ）及び図２に示すように、１階から２階にかけて連続する空間となった吹き抜け１１が形成されている。そして、２階部分には吹き抜け１１の西側に寝室区画１２、北側にトイレ１３、東側に子供用区画１４が設けられて、家族個人のプライバシーを尊重するプライベート領域となっている。また、階段６から子供用区画１４及び寝室区画１２に行くための通路となる２階廊下１５が設けられ、建物の南側にはベランダ１７が設けられている。
【００３０】
上記吹き抜け１１は、１階の食堂４ａの台所区画３側に設けられており、システムキッチン３ａの前方が１階から２階まで開放された空間となっている。したがって、システムキッチン３ａに向かって炊事等を行っている母親等は吹き抜け１１を通して２階の様子を視認することができるものとなっている。
【００３１】
上記寝室区画１２は、ユーティリティ区画２及び台所区画３の上方、つまり建物の西側に配置されており、寝室１２ａとこの寝室１２ａに隣接したウォークインクロゼット１２ｂを含むものである。寝室１２ａとウォークインクロゼット１２ｂはドア１２ｃにより区分されており、寝室１２ａ及びウォークインクロゼット１２ｂへは２階廊下１５から直接に出入りが可能となっている。
【００３２】
上記子供用区画１４には、建物の東側で南北方向に並ぶ２つの子供部屋１４ａ，１４ｂが設けられている。互いの子供部屋１４ａ，１４ｂは壁で区切られるとともに、２階廊下１５とは間仕切スクリーン１６により仕切られている。この間仕切スクリーン１６は、透明または半透明の材料で形成され、開放することが容易となっている。例えば、半透明な布からなるスクリーン、透明又は半透明の合成樹脂やガラスからなるパネル等で製作されており、子供の様子を母親等が見守る必要がある時期までは、このような間仕切スクリーン１６を透して子供部屋の内部が見通せるようにしている。子供が成長し、プライバシーを考慮しなければならない年齢になったときには、この間仕切スクリーン１６を光を透過しない材料に交換、又はドア・引き戸等を有する間仕切壁等に置き換えて、子供のプライバシーを尊重する間取りとすることができる。
【００３３】
上記２階廊下１５は、上記吹き抜け１１の周囲に沿って設けられ、建物の東側にある子供用区画１４と吹き抜け１１との間から吹き抜けの南側を経て、寝室区画１２に通じるものとなっている。また、階段６の北側から寝室区画のウォークインクロゼット１２ｂに入ることができるものとなっている。
【００３４】
上記２階廊下１５と子供用区画１４とは、吹き抜け１１を介して台所区画３と斜め上方で対向する位置となり、台所区画３にいる母親等は吹き抜け１１を通して２階廊下１５及び子供用区画１４を見通すことができる。そして、２階廊下１５の吹き抜け側の側縁であって、台所区画３と斜め上方で対向する位置には、階段と同様に視線を遮らない手すり１５ａが設けられている。したがって、台所区画３から２階を見上げた母親は、手すり１５ａに視線を遮られることなく２階廊下１５や子供用区画１４を見ることができるものとなっている。
【００３５】
このように、成長期の小さい子供がいる家庭では、１階の台所にいる母親等が見上げることにより、吹き抜け１１から２階廊下１５及び間仕切スクリーン１６を介して子供部屋１４ａ，１４ｂの様子を知ることができる。したがって、例えば台所区画３で母親等が家事又は接客をしている場合にも、２階の子供部屋１４ａ，１４ｂにいる子供の様子を見ながら安心して家事又は接客を継続することができる。
【００３６】
図３は、図１に示す住宅と類似する間取りとなった住宅であって、本発明の一実施形態である住宅の１階部分を示す平面図である。
この図に示す住宅では、１階のトイレ３５が玄関区画３１と隣接して配置されている。
この住宅の１階部分には、図１に示す住宅と同様に、玄関区画３１、ユーティリティ区画３２、台所区画３３、団らん区画３４がほぼ同じ位置に設けられている。そして、トイレ３５が、玄関土間３１ｂ、サブ土間３１ｃ及び玄関ホール３１ｄに隣接する位置であって建物の外壁４２と離れた位置に設けられ、中廊下３８から出入りするものとなっている。また、トイレ３５の位置が異なることにともない、階段の上り口３６ａ、高床部３４ｃ、主廊下３７、中廊下３８等の配置がやや異なるが、サブホール３１ｅからユーティリティ区画３２内へ入った位置及び玄関ホール３１ｄの主廊下３７に通じる位置が見えるようになっている点、システムキッチン３３ａの前から団らん区画３４内の様子が見えるようになっている点、台所区画３３からユーティリティ区画３２や玄関区画３１の様子を感知することができる点等は同じである。
【００３７】
この住宅では、トイレ３５が建物の外壁４２と離れた位置となっているため、換気設備が必要となり、図３（ｂ）に示すようにサブ土間３１ｃの天井裏４１から外壁４２に通じるダクト４３を設置している。サブ土間３１ｃは、床面がサブホール３１ｅ及びこれに続く床面より低くなっているので、このサブ土間３１ｃでは天井を他の部分より低くすることができる。したがって、２階の床等を支持するために高さの大きな梁が使用されていても、図３（ｂ）に示すように、サブ土間３１ｃの天井裏にダクト４２を通してトイレ３５の換気を行うことができる。
【符号の説明】
【００３８】
１：玄関区画、    １ａ：玄関ドア、    １ｂ：玄関土間、    １ｃ：サブ土間、    １ｄ：玄関ホール、    １ｅ：サブホール、    １ｆ：玄関ポーチ、    ２：ユーティリティ区画、    ２ａ：洗面所、    ２ｂ：風呂、    ２ｃ：洗濯機を置くスペース、    ３：台所区画、    ３ａ：システムキッチン、    ３ｂ：冷蔵庫、    ４：団らん区画、    ４ａ：食堂、    ４ｂ：居間、    ４ｃ：高床部、    ４ｄ：書架、    ５：トイレ、    ６：階段、    ６ａ：階段の昇り口、    ６ｂ：階段の手すり、    ７：主廊下、    ８：中廊下、    ９：ウッドデッキ、１１：吹き抜け、    １２：寝室区画、    １２ａ：寝室、    １２ｂ：ウォークインクロゼット、    １３：トイレ、    １４：子供用区画、    １５：２階廊下、    １６：間仕切スクリーン、    １７：ベランダ、
３１：玄関区画、    ３２：ユーティリティ区画、    ３３：台所区画、    ３４：団らん区画、    ３５：トイレ、    ３６：階段、    ３７：主廊下、    ３８：中廊下、    ３９：ウッドデッキ、  ４１：天井裏、  ４２：外壁、    ４３：ダクト、    Ｓ：収納
【図１】
0005982099.tif 000002
【図２】
0005982099.tif 000003
【図３】
0005982099.tif 000004